(57)【特許請求の範囲】
【請求項１】
装置本体の内部の空気を前記装置本体の外部へ排出する第１の排気口、前記空気を前記第１の排気口と交差する方向から外部へ排出する第２の排気口が形成された通気路と、
前記第１の排気口及び第２の排気口に向かって空気が流れるように空気流を生成するファンと、
前記ファンの下流側で前記第１の排気口の上流側に配置され前記第１の排気口から排出される前記空気の通過量を前記装置本体の動作に応じて調整する調整手段と、
前記第１の排気口と前記調整手段の間で前記第１の排気口に面して設けられ、前記第１の排気口から排出される前記空気に香りを付加する付加手段と、を備えた、
ことを特徴とする画像形成装置。
【請求項２】
前記装置本体の動作に応じて前記ファンの稼動を制御する制御手段を備え、
前記調整手段は、前記装置本体の動作した動作時間の累積値が予め定められた閾値を超えた場合に前記第１の排気口を閉じる、
ことを特徴とする請求項１に記載の画像形成装置。
【請求項３】
前記装置本体の動作に応じて前記ファンの稼動を制御する制御手段を備え、
前記調整手段は、前記装置本体の印刷枚数の累積枚数が予め定められた閾値に達するまで前記第１の排気口を開放状態に保持する、
ことを特徴とする請求項１に記載の画像形成装置。
【請求項４】
前記装置本体の動作に応じて前記ファンの稼動を制御する制御手段を備え、
前記調整手段は、前記装置本体の動作した動作時間の累積値が予め定められた閾値を超えた場合に、前記ファンの風量を増減させて前記香り付加手段の香り放出量を調整する、
ことを特徴とする請求項１に記載の画像形成装置。
【請求項５】
装置本体の内部の空気を前記装置本体の外部へ排出する第１の排気口、前記空気を前記第１の排気口と交差する方向から外部へ排出する第２の排気口が形成された通気路と、
前記第１の排気口に向かって空気が流れるように空気流を生成する第１のファンと、
前記第１のファンの下流側で前記第１の排気口と前記第２の排気口との間に配置され前記第２の排気口に向かって空気が流れるように空気流を生成する第２のファンと、
前記装置本体の動作に応じて前記第１のファン及び前記第２のファンの稼動を制御する制御手段と、
前記第１の排気口に面して設けられ、前記第１の排気口から排出される前記空気に香りを付加する付加手段と、を備え、
前記装置本体の動作した動作時間の累積値が予め定められた閾値を超える場合に前記第１のファンを停止させる、
ことを特徴とする画像形成装置。
【請求項６】
前記香り付加手段が、内部に香り成分を有する香り源を保持して温度に応じて香りを放出するフィルタ、である、
ことを特徴とする請求項１ないし５のいずれか１項に記載の画像形成装置。
【発明の詳細な説明】
【技術分野】
【０００１】
本発明は、画像形成装置に関する。
【背景技術】
【０００２】
装置内部に設けられ、装置内部で発生する揮発物質を所定未満の温度で吸着し、吸着した揮発物質を所定以上の温度で放出する特性のフィルタと、フィルタを所定以上の温度に昇温して吸着した揮発物質を放出させるリフレッシュ動作を行うモードを有し、装置内部で発生する熱を用いてフィルタを所定以上の温度に昇温する画像形成装置が知られている（特許文献１）。
【先行技術文献】
【特許文献】
【０００３】
【特許文献１】特開２０１０−２３７６４７号公報
【発明の概要】
【発明が解決しようとする課題】
【０００４】
従来の技術では、画像形成装置の動作時間に拘わらず、香りを放出していた。
本発明は、画像形成装置の動作時間に応じて香りの放出量を調整する構成を備えていない場合に比して、画像形成装置の周辺環境へ適度な香りを提供することを目的とする。
【課題を解決するための手段】
【０００５】
前記課題を解決するために、請求項１に記載の画像形成装置は、
装置本体の内部の空気を前記装置本体の外部へ排出する第１の排気口、前記空気を前記第１の排気口と交差する方向から外部へ排出する第２の排気口が形成された通気路と、
前記第１の排気口及び第２の排気口に向かって空気が流れるように空気流を生成するファンと、
前記ファンの下流側で前記第１の排気口の上流側に配置され前記第１の排気口から排出される前記空気の通過量を前記装置本体の動作に応じて調整する調整手段と、
前記第１の排気口と前記調整手段の間で前記第１の排気口に面して設けられ、前記第１の排気口から排出される前記空気に香りを付加する付加手段と、を備えた、
ことを特徴とする。  
【０００６】
請求項２記載の発明は、請求項１に記載の画像形成装置において、
前記装置本体の動作に応じて前記ファンの稼動を制御する制御手段を備え、
前記調整手段は、前記装置本体の動作した動作時間の累積値が予め定められた閾値を超えた場合に前記第１の排気口を閉じる、
ことを特徴とする。
【０００７】
請求項３記載の発明は、請求項１に記載の画像形成装置において、
前記装置本体の動作に応じて前記ファンの稼動を制御する制御手段を備え、
前記調整手段は、前記装置本体の印刷枚数の累積枚数が予め定められた閾値に達するまで前記第１の排気口を開放状態に保持する、
ことを特徴とする。
【０００８】
請求項４記載の発明は、請求項１に記載の画像形成装置において、
前記装置本体の動作に応じて前記ファンの稼動を制御する制御手段を備え、
前記調整手段は、前記装置本体の動作した動作時間の累積値が予め定められた閾値を超えた場合に、前記ファンの風量を増減させて前記香り付加手段の香り放出量を調整する、
ことを特徴とする。  
【０００９】
前記課題を解決するために、請求項５に記載の画像形成装置は、
装置本体の内部の空気を前記装置本体の外部へ排出する第１の排気口、前記空気を前記第１の排気口と交差する方向から外部へ排出する第２の排気口が形成された通気路と、
前記第１の排気口に向かって空気が流れるように空気流を生成する第１のファンと、
前記第１のファンの下流側で前記第１の排気口と前記第２の排気口との間に配置され前記第２の排気口に向かって空気が流れるように空気流を生成する第２のファンと、
前記装置本体の動作に応じて前記第１のファン及び前記第２のファンの稼動を制御する制御手段と、
前記第１の排気口に面して設けられ、前記第１の排気口から排出される前記空気に香りを付加する付加手段と、を備え、
前記装置本体の動作した動作時間の累積値が予め定められた閾値を超える場合に前記第１のファンを停止させる、
ことを特徴とする。
【００１０】
請求項６記載の発明は、請求項１ないし５のいずれか１項に記載の画像形成装置において、
前記香り付加手段が、内部に香り成分を有する香り源を保持して温度に応じて香りを放出するフィルタ、である、
ことを特徴とする。
【発明の効果】
【００１１】
請求項１ないし６に記載の発明によれば、画像形成装置の動作時間に応じて香りの放出量を調整する構成を備えていない場合に比して、画像形成装置の周辺環境へ適度な香りを提供することができる。
【図面の簡単な説明】
【００１２】
【図１】（ａ）は画像形成装置１の外観全体を示す正面概略構成図、（ｂ）は平面概略構成図、（ｃ）は左側面概略構成図である。
【図２】画像形成装置１の内部構成を示す断面構成図である。
【図３】画像形成装置１の左側方側に視点をおいたときの排気装置７０の構成と装置内における配置を示す概略図である。
【図４】画像形成装置１の上面側に視点をおいたときの排気装置７０の構成と装置内における配置を示す平面概略構成図である。
【図５】排気装置７０の流路開閉機構の構成と動きを説明する平面断面模式図である。
【図６】排気装置７０の動作の流れを示すフローチャートである。
【図７】画像形成装置１Ａの上面側に視点をおいたときの排気装置７０Ａの構成と装置内における配置を示す平面概略構成図である。
【図８】画像形成装置１Ａにおける排気装置７０Ａの動作の流れを示すフローチャートである。
【図９】画像形成装置１Ｂの上面側に視点をおいたときの排気装置７０Ｂの構成と装置内における配置を示す平面概略構成図である。
【図１０】画像形成装置１Ｂにおける排気装置７０Ｂの動作の流れを示すフローチャートである。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１４】
「第１実施形態」
（１）画像形成装置の全体構成及び動作
図１（ａ）は本実施形態に係る画像形成装置１の外観全体を示す正面構成図、（ｂ）は平面構成図、（ｃ）は左側面構成図、図２は画像形成装置１の内部構成を示す断面模式図である。
以下、図面を参照しながら、画像形成装置１の全体構成及び動作を説明する。
【００１５】
（１．１）全体構成
画像形成装置１は、電子写真方式によって画像を形成する画像形成部２と、原稿等の読み取りを行う読取部３が読取装置支持部４によって画像形成部２の上方に支持されて構成されている。
画像形成部２は、筐体Ｆ（不図示）が形成する内部空間に、制御装置１０、給紙装置２０、感光体ユニット３０、現像装置４０、転写装置５０、定着装置６０、排気装置７０が配置され（図２に図示）、筐体Ｆは分割された複数の外装カバー５で覆われて構成されている。
【００１６】
（１．２）画像形成部
制御装置１０は、画像形成装置１の動作を制御する画像形成装置制御部１１と、印刷処理要求に応じた画像データを準備するコントローラ部１２、露光装置ＬＨの点灯を制御する露光制御部１３、電源装置１４等を有する。
【００１７】
画像形成部２の底部には、多数の記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１８】
感光体ユニット３０は、給紙装置２０の上方（Ｚ方向）に、それぞれが並列して設けられ、回転駆動する像保持体としての感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００１９】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２０】
転写装置５０においてトナー像が一括転写された用紙Ｐは、トナー像が未定着の状態で搬送ガイドを経由して定着装置６０に搬送され、一対の定着ローラ６１と加圧ローラ６２により、圧着と加熱の作用でトナー像が定着される。
定着トナー像が形成された用紙Ｐは、搬送ガイドによってガイドされ、排出ローラ対６９から画像形成部２の上面に排出される。
【００２１】
画像形成部２には、排気装置７０（図２に図示）が設けられている。排気装置７０は、筐体Ｆ内で画像形成装置１の背面側に向かって形成された通気ダクト７１（図３、図４に図示）を有し、外装カバー５に形成されたルーバー部５ａ、５ｂから画像形成部２内の熱せられた空気を外部へ排出している。
【００２２】
（２）排気装置の構成
図３は画像形成装置１の左側方側に視点をおいたときの排気装置７０の構成と装置内における配置を示す概略図、図４は画像形成装置１の上面側に視点をおいたときの排気装置７０の構成と装置内における配置を示す平面概略構成図、図５は排気装置７０の流路開閉機構の構成と動きを説明する平面断面模式図である。
以下図面を参照しながら、排気装置７０の構成について説明する。
【００２３】
排気装置７０は、通気ダクト７１、排気ファン７２、流路開閉機構７３、フィルタ７４から構成されている。
【００２４】
（２．１）通気ダクト
画像形成装置１の背面側の筐体Ｆ（不図示）には通気ダクト７１が配置されて、画像形成装置１内の熱せられた空気を画像形成装置１外部へ排出する通気路７１ａを形勢している。通気ダクト７１の空気吸引側となる吸気口７１Ａは、定着装置６０の側方の上方に位置し、通気ダクト７１の排気側となる排気口７１Ｂは、外装カバー５側に位置している。
【００２５】
外装カバー５には、画像形成装置１外部と連通するように開口されたルーバー部５ａが形成され、通気ダクト７１の第１の排気口７１Ｂａは、画像形成装置１の背面側に設けられルーバー部５ａと連通している。
また、通気ダクト７１の第２の排気口７１Ｂｂは、画像形成装置１の左側方側に設けられたルーバー部５ｂと連通している。
【００２６】
（２．２）排気ファン
通気ダクト７１内の通気路７１ａの途中には、排気ファン７２が配置されている。排気ファン７２は、画像形成装置制御部１１（図１参照）により駆動源（図示省略）が駆動されることで回転し、吸気口７１Ａから吸気をすると共に通気ダクト７１内の空気を排気口７１Ｂから装置外部へ排気する。
【００２７】
（２．３）流路開閉機構
通気ダクト７１内の通気路７１ａの排気ファン７２の下流側には、通気路７１ａを開閉するための流路開閉機構７３の一例としての可動フラップ機構７３Ａを備えている。
図５（ａ）に示すように、可動フラップ機構７３Ａは、通気ダクト７１の通気路７１ａと交差して設けられ、通気路７１ａを閉止する状態と開放する状態とを切り替えるようになっている。
【００２８】
具体的には、可動フラップ機構７３Ａは、通気ダクト７１の通気路７１ａと軸方向が交差した支軸７３Ａａ回りに回転することで、図５（ａ）に実線で示す通気路７１ａの閉止位置と、破線で示す通気路７１ａの開放位置とをとり得る可動フラップ７３Ａｂを備えている。
本実施形態では、複数（５枚）の可動フラップ７３Ａｂが設けられ、可動フラップ機構７３Ａは、各可動フラップ７３Ａｂをそれぞれ閉止位置と開放位置との間で駆動するアクチュエータＡＣを備えている。
【００２９】
なお、流路開閉機構７３は、図５（ｂ）に示すように、通気ダクト７１の通気路７１ａと交差する方向にそれぞれが対向して開閉可能に設けられた一対の遮蔽板７３Ｂで構成し、一対の遮蔽板７３ＢをアクチュエータＡＣで閉止位置と開放位置との間で駆動しても良い。
【００３０】
（２．４）フィルタ
通気ダクト７１の第２の排気口７１Ｂｂ及び可動フラップ機構７３Ａよりも下流側にはフィルタ７４が配置されている。
フィルタ７４は、中央部側が開口した支持フレーム７４ａと香り成分を有する香り源の一例として予め香り成分が吸着された香りフィルタ材７４ｂから構成され、その全体が通気ダクト７１の排気口７１Ｂに固定して取り付けても、あるいは、フィルタ７４の寿命等に応じた交換を行う観点から着脱自在に取り付けられるように構成してもよい。
【００３１】
香りフィルタ材７４ｂは、例えば、空気透過性の多孔質部材に所定の温度で揮発するアロマオイル等の芳香剤が予め吸着されたものであり、香りについては、人にとっての好ましい香りは千差万別であるため、特に限定されない。
また、フィルタ材７４ｂには、画像形成装置１内に発生する揮発物質を吸着する活性炭を更に加えてもよい。
【００３２】
このように構成される排気装置７０において、排気ファン７２が回転すると、画像形成装置１内部の空気が通気ダクト７１の吸気口７１Ａから通気路７１ａ内に吸入され、可動フラップ機構７３Ａが開放状態にあるときには、フィルタ７４内を通過して第１の排気口７１Ｂａから外装カバー５のルーバー部５ａを介して装置外部へ排気される。
また、可動フラップ機構７３Ａが閉鎖状態にあるときには、フィルタ７４内を通過することなく第２の排気口７１Ｂｂから外装カバー５のルーバー部５ｂを介して装置外部へ排気される。
【００３３】
（３）排気装置の動作
図６は画像形成装置１における排気装置７０の動作の流れを示すフローチャートである。
以下図面を参照しながら、排気装置７０の動作について説明する。
【００３４】
画像形成装置１は複数の動作モードを備えている。動作モードとは、その機器の使用状態を示すものであり、画像形成装置１の例では、待機状態、複写（コピー）状態、プリント状態、スキャン状態、ファックス状態等が該当する（以下の説明では、動作モードについて、プリント中／ファックス出力中／スキャン中のいずれか又はこれらが複数同時に行われている状態を使用状態、印刷ジョブの発生に備えて待機するスタンバイモード又は画像形成装置１の消費電力量を抑制するための省電力モードにある状態を待機状態と記す）。
【００３５】
排気装置７０は、画像形成装置１の動作モードが待機状態にあるときは、停止している。排気装置７０は、画像形成装置１の動作モードが使用状態にあるときに稼動し、排気ファン７２を動作させて画像形成装置１内の熱せられた空気を通気ダクト７１を介して取り入れ、フィルタ７４内を通過させて外装カバー５のルーバー部５ａから装置外部へ排出する際に、香りを放出する。
【００３６】
画像形成装置１において、１回の稼動（ジョブ）による印刷枚数が多い場合には、定着装置６０における熱の発生が多くなるために、排気装置７０は継続して運転されるために、排気装置７０の運転とともに、外装カバー５のルーバー部５ａから装置外部へ放出される香り成分の濃度も高くなる。その結果、画像形成装置１の使用者を含む周辺環境における香りが、人にとって心地よいと感じられる適度な濃度を超える虞があった。
【００３７】
一方、画像形成装置１において、１回の稼動（ジョブ）による印刷枚数が少ない場合には、排気装置７０は毎回のジョブに連動して断続運転されるために、排気装置７０の運転とともに、外装カバー５のルーバー部５ａから装置外部へ放出される香り成分の濃度は低くなる。その結果、画像形成装置１の使用者を含む周辺環境における香りが、人にとって心地よいと感じられる適度な濃度に満たない虞もあった。
【００３８】
本実施形態に係る画像形成装置１においては、画像形成装置１の動作モードが使用状態において、排気装置７０内に設けられた可動フラップ機構７３Ａが、画像形成装置１の動作した動作時間の累積値が予め定められた閾値を超えた場合に通気ダクト７１の通気路７１ａを閉鎖して、排気ファン７２によって装置内から吸気された空気は、フィルタ７４内を通過することなく第２の排気口７１Ｂｂから外装カバー５のルーバー部５ｂを介して装置外部へ排気される。
ここで画像形成装置１の動作した動作時間とは、画像形成に係る動作部の動作時間に限定されず、例えば排気ファン７２の動作時間を含む。
【００３９】
また、画像形成装置１の印刷枚数の累積値が予め定められた閾値を超えた場合にも、可動フラップ機構７３Ａが通気ダクト７１の通気路７１ａを閉鎖して、排気ファン７２によって装置内から吸気された空気は、フィルタ７４内を通過することなく第２の排気口７１Ｂｂから外装カバー５のルーバー部５ｂを介して装置外部へ排気される。
【００４０】
画像形成装置制御部１１は、印刷ジョブを受取ると、待機状態から定着装置６０への通電制御を開始してウォームアップ動作を開始するとともに、排気装置７０の排気ファン７２をＯＮにする（Ｓ１０１）。
定着装置６０の加熱とともに、通気ダクト７１の通気路７１ａ内に吸入される装置内の空気は徐々に熱せられて、フィルタ７４内を通過して第１の排気口７１Ｂａから外装カバー５のルーバー部５ａを介して香りとともに装置外部へ排気される。
【００４１】
画像形成装置制御部１１は、動作時間Ｔを積算して、動作時間Ｔが予め定められた閾値Ｔ１に達したか否か判断する（Ｓ１０２）。
動作時間Ｔが閾値Ｔ１を超えた場合（Ｓ１０２：Ｙｅｓ）、画像形成装置制御部１１は、可動フラップ機構７３ＡのアクチュエータＡＣを稼動させてそれぞれの可動フラップ７３Ａｂを閉止位置に移動させ、通気ダクト７１の通気路７１ａを閉鎖する（Ｓ１０３）。
【００４２】
その結果、通気ダクト７１の通気路７１ａ内に吸入される装置内の空気は、フィルタ７４内を通過することなく第２の排気口７１Ｂｂから外装カバー５のルーバー部５ｂを介して装置外部へ排気される。
そのために、排気装置７０の運転とともに、外装カバー５のルーバー部５ａから装置外部へ放出される香り成分の濃度が必要以上に高くなることはなく、画像形成装置１の使用者を含む周辺環境における香りが、人にとって心地よいと感じられる適度な濃度を維持することができる。
【００４３】
画像形成装置制御部１１は、動作時間Ｔが閾値Ｔ１を超えない場合（Ｓ１０２：Ｎｏ）、同時に印刷枚数Ｎを積算して、印刷枚数Ｎが予め定められた閾値Ｎ１に達したか否か判断する（Ｓ１０４）。
印刷枚数Ｎが閾値Ｎ１を超えた場合（Ｓ１０４：Ｙｅｓ）、画像形成装置制御部１１は、可動フラップ機構７３ＡのアクチュエータＡＣを稼動させてそれぞれの可動フラップ７３Ａｂを閉止位置に移動させ、通気ダクト７１の通気路７１ａを閉鎖する（Ｓ１０３）。
【００４４】
その結果、通気ダクト７１の通気路７１ａ内に吸入される装置内の空気は、フィルタ７４内を通過することなく第２の排気口７１Ｂｂから外装カバー５のルーバー部５ｂを介して装置外部へ排気される。
【００４５】
印刷枚数Ｎが閾値Ｎ１を超えない場合（Ｓ１０４：Ｎｏ）、画像形成装置制御部１１は、可動フラップ機構７３Ａを開放状態で保持して、通気ダクト７１の通気路７１ａ内に吸入される装置内の空気は、フィルタ７４内を通過して第１の排気口７１Ｂａから外装カバー５のルーバー部５ａを介して香りとともに装置外部へ排気される。
そのために、印刷枚数が少ないジョブが繰り返され、定着装置６０が繰り返されるジョブごとにＯＦＦになって、機内の空気の温度が上昇しにくい場合であっても、外装カバー５のルーバー部５ａから装置外部へ放出される香り成分の濃度の低下を抑制し、画像形成装置１の使用者を含む周辺環境における香りが、人にとって心地よいと感じられる適度な濃度を維持することができる。
【００４６】
「第２実施形態」
図７は画像形成装置１Ａの上面側に視点をおいたときの排気装置７０Ａの構成と装置内における配置を示す平面概略構成図、図８は画像形成装置１Ａにおける排気装置７０Ａの動作の流れを示すフローチャートである。
【００４７】
本実施形態の画像形成装置１Ａの基本構成は第１実施形態の画像形成装置１と同様であり、装置本体の動作した動作時間の累積値が予め定められた閾値を超える場合に、排気ファン７２の風量を増加させフィルタ７４の香り源を香り成分揮発温度以下に保持する点で第１実施形態と異なっている。
以下、本実施形態の画像形成装置１Ａにおける排気装置７０Ａの動作について図８を用いて説明するが、第１実施形態に係る画像形成装置１と共通の構成要素には、同一の符号を付し、その詳細な説明は省略する。
【００４８】
排気装置７０Ａは、通気ダクト７１、排気ファン７２、フィルタ７４から構成され、画像形成装置制御部１１は、印刷ジョブを受取ると、待機状態から定着装置６０への通電制御を開始してウォームアップ動作を開始するとともに、排気装置７０の排気ファン７２をＯＮにする（Ｓ２０１）。
定着装置６０の加熱とともに、通気ダクト７１の通気路７１ａ内に吸入される装置内の空気は徐々に熱せられて、フィルタ７４内を通過して第１の排気口７１Ｂａから外装カバー５のルーバー部５ａを介して香りとともに装置外部へ排気される。
【００４９】
画像形成装置制御部１１は、動作時間Ｔを積算して、動作時間Ｔが予め定められた閾値Ｔ１に達したか否か判断する（Ｓ２０２）。
動作時間Ｔが閾値Ｔ１を超えた場合（Ｓ２０２：Ｙｅｓ）、排気ファン７２の風量を増加させ（Ｓ２０３）フィルタ７４の香り源を香り成分揮発温度以下に保持する。
【００５０】
そのために、画像形成装置１Ａが、予め定められた動作時間Ｔの閾値Ｔ１を越えて稼動した場合であっても、外装カバー５のルーバー部５ａから装置外部へ放出される香り成分の濃度が必要以上に高くなることがなく、画像形成装置１Ａの使用者を含む周辺環境における香りが、人にとって心地よいと感じられる適度な濃度を維持することができる。
【００５１】
また、機内温度が高い場合は、排気ファン７２の風量を増加させるとかえってフィルタ７４の温度が上がることがあるので、排気ファン７２の風量を減少させて、フィルタ７４を通過する風量を少なくすることで同様な効果を得ることもできる。
【００５２】
「第３実施形態」
図９は画像形成装置１Ｂの上面側に視点をおいたときの排気装置７０Ｂの構成と装置内における配置を示す平面概略構成図、図１０は画像形成装置１Ｂにおける排気装置７０Ｂの動作の流れを示すフローチャートである。
【００５３】
本実施形態の画像形成装置１Ｂの基本構成は第１実施形態の画像形成装置１と同様であり、吸気口７１Ａから第１の排気口７１Ｂａ及び第２の排気口７１Ｂｂに向かって空気が流れるように空気流を生成する第１の排気ファン７２Ａと、第１の排気ファン７２Ａの下流側で第１の排気口７１Ｂａと第２の排気口７１Ｂｂとの間に配置され、吸気口７１Ａから第２の排気口７１Ｂｂに向かって空気が流れるように空気流を生成する第２の排気ファン７２Ｂと、を備え、装置本体の動作した動作時間の累積値が予め定められた閾値を超える場合に第２の排気ファン７２Ｂを停止させる点で第１実施形態と異なっている。
以下、本実施形態の画像形成装置１Ｂにおける排気装置７０Ｂの動作について図１０を用いて説明するが、第１実施形態に係る画像形成装置１と共通の構成要素には、同一の符号を付し、その詳細な説明は省略する。
【００５４】
排気装置７０Ｂは、通気ダクト７１、第１の排気ファン７２Ａ、第２の排気ファン７２Ｂ、フィルタ７４から構成され、画像形成装置制御部１１は、印刷ジョブを受取ると、待機状態から定着装置６０への通電制御を開始してウォームアップ動作を開始するとともに、排気装置７０Ｂの第１の排気ファン７２ＡをＯＮにする（Ｓ３０１）。
定着装置６０の加熱とともに、通気ダクト７１の通気路７１ａ内に吸入される装置内の空気は徐々に熱せられて、フィルタ７４内を通過して第１の排気口７１Ｂａから外装カバー５のルーバー部５ａを介して香りとともに装置外部へ排気される。
【００５５】
画像形成装置制御部１１は、動作時間Ｔを積算して、動作時間Ｔが予め定められた閾値Ｔ１に達したか否か判断する（Ｓ３０２）。
動作時間Ｔが閾値Ｔ１を超えた場合（Ｓ３０２：Ｙｅｓ）、第１の排気ファン７２ＡをＯＦＦにして、第２の排気ファン７２ＢをＯＮにする（Ｓ３０３）。
【００５６】
その結果、通気ダクト７１の通気路７１ａ内に吸入される装置内の空気は、第２の排気ファン７２Ｂによって、フィルタ７４内を通過することなく第２の排気口７１Ｂｂから外装カバー５のルーバー部５ｂを介して装置外部へ排気される。
そのために、予め定められた動作時間Ｔの閾値Ｔ１を越えて稼動した場合であっても、排気装置７０Ｂの運転とともに、外装カバー５のルーバー部５ａから装置外部へ放出される香り成分の濃度が必要以上に高くなることはなく、画像形成装置１Ｂの使用者を含む周辺環境における香りが、人にとって心地よいと感じられる適度な濃度を維持することができる。
【符号の説明】
【００５７】
１、１Ａ、１Ｂ・・・画像形成装置
２・・・画像形成部
３・・・読取部
４・・・読取装置支持部
５・・・外装カバー
５ａ、５ｂ・・・ルーバ部
１０・・・制御装置
２０・・・給紙装置
３０・・・感光体ユニット
４０・・・現像装置
５０・・・転写装置
６０・・・定着装置
７０、７０Ａ、７０Ｂ・・・排気装置
７１・・・通気ダクト
７１Ａ・・・吸気口
７１Ｂ・・・排気口
７１Ｂａ・・・第１の排気口
７１Ｂｂ・・・第２の排気口
７２、７２Ａ、７２Ｂ・・・排気ファン
７３・・・流路開閉機構
７４・・・フィルタ
７４ｂ・・・香りフィルタ材  
９０・・・操作情報部
【図１】
0006390300.tif 000002
【図２】
0006390300.tif 000003
【図３】
0006390300.tif 000004
【図４】
0006390300.tif 000005
【図５】
0006390300.tif 000006
【図６】
0006390300.tif 000007
【図７】
0006390300.tif 000008
【図８】
0006390300.tif 000009
【図９】
0006390300.tif 000010
【図１０】
0006390300.tif 000011